(57)【要約】【課題】  より確実なアドレス識別により安定した読み出し動作を行なう光ディスク技術を提供する。【解決手段】  ディスクからの反射光を読取って読取信号を出力する読取部と、前記読取部からの読取信号から、ウォブル信号を抽出する抽出部と、前記抽出部からの前記ウォブル信号の位相を検波する位相検波部と、前記位相検波部の検波結果に応じて、前記ウォブル信号の上限信号を検出する上限検出部と、前記位相検波部の検波結果に応じて、前記ウォブル信号の下限信号を検出する下限検出部と、前記上限信号と前記下限信号との平均値信号を生成する平均値生成部と、前記平均値信号を閾値として、前記ウォブル信号を判定する判定部と、前記判定部が判定した判定結果に応じたアドレス値に基づき、前記読取部の動作を制御する制御部と、前記動作が制御された読取部からの読取信号をデコードして再生信号を出力するデコーダ部と、を具備することを特徴とするディスク装置。【選択図】      図１１
2009176365.tif 000002
【特許請求の範囲】
【請求項１】
ディスクからの反射光を読取って読取信号を出力する読取部と、
前記読取部からの読取信号から、ウォブル信号を抽出する抽出部と、
前記抽出部からの前記ウォブル信号の位相を検波する位相検波部と、
前記位相検波部の検波結果に応じて、前記ウォブル信号の上限信号を検出する上限検出
部と、
前記位相検波部の検波結果に応じて、前記ウォブル信号の下限信号を検出する下限検出
部と、
前記上限信号と前記下限信号との平均値信号を生成する平均値生成部と、
前記平均値信号を閾値として、前記ウォブル信号を判定する判定部と、
前記判定部が判定した判定結果に応じたアドレス値に基づき、前記読取部の動作を制御
する制御部と、
前記動作が制御された読取部からの読取信号をデコードして再生信号を出力するデコー
ダ部と、を具備することを特徴とするディスク装置。
【請求項２】
前記上限検出部及び前記下限検出部は、前記ウォブル信号から、前記ディスクの一つの
ＷＤ Ｕ の前半の所定領域のウォブル信号及び前記ＷＤ Ｕ の後半の所定領域のウォブル
信号のみを抽出し、これらを参照して前記上限信号及び下限信号を決定することを特徴と
する請求項１記載のディスク装置。
【請求項３】
前記平均値生成部は、前記上限信号と前記下限信号との重み付き平均値信号を生成する
ことを特徴とする請求項１記載のディスク装置。
【請求項４】
前記上限検出部及び前記下限検出部は、６ つ分の前記Ｗ Ｄ Ｕ の毎に、第１ 所定領
域と前記第２ 所定領域との一方を選択し、選択された領域に応じたウォブル位相検波信
号を選択し、これらに基づいて前記上限信号及び下限信号を決定することを特徴とする請
求項２記載のディスク装置。
【請求項５】
前記平均値生成部は、前記上限信号に１以下の係数をかける係数乗算部を備え、この係
数乗算部の出力と前記下限信号との平均値信号を生成することを特徴とする請求項３記載
のディスク装置。
【請求項６】
ディスクからの反射光をピックアップ部を用いて読取って読取信号を出力し、
前記読取信号からウォブル信号を抽出し、
前記抽出部からの前記ウォブル信号の位相を検波し、
前記位相検波結果に応じて、前記ウォブル信号の上限信号及び下限信号を検出し、
前記上限信号と前記下限信号との平均値信号を生成し、
前記平均値信号を閾値として、前記ウォブル信号を判定し、
前記判定結果に応じたアドレス値に基づき、前記ピックアップ部の動作を制御し、
前記読取信号をデコードして再生信号を出力することを特徴とするディスク処理方法。
【請求項７】
前記上限信号及び下限信号の検出処理の際に、前記ウォブル信号から、前記ディスクの
一つのＷＤ Ｕ の前半の所定領域のウォブル信号及び前記ＷＤ Ｕ の後半の所定領域のウ
ォブル信号のみを抽出し、これらを参照して位相検波し、この位相検波結果に応じて前記
上限信号及び下限信号を決定することを特徴とする請求項６記載のディスク処理方法。
【請求項８】
前記上限信号及び下限信号の検出処理の際に、６ つ分の前記Ｗ Ｄ Ｕ の毎に、第１ 
所定領域と前記第２ 所定領域との一方を選択し、選択された領域に応じたウォブル位相
検波信号を選択し、これらに基づいて前記上限信号及び下限信号を決定することを特徴と
する請求項７記載のディスク処理方法。
【請求項９】
前記上限信号に１以下の係数をかける係数乗算を行い、この係数乗算結果と前記下限信
号との平均値信号を生成することを特徴とする請求項６記載のディスク処理方法。
【発明の詳細な説明】
【技術分野】
【０００１】
本発明は、光ディスク装置及び光ディスク処理方法に係わり、特にウォブル信号を抽出
し利用する際の符号間干渉の調整方法に関する。
【背景技術】
【０００２】
近年、情報記録媒体として、光ディスクが非常に普及してきており、その信頼性につい
ても更なる向上が望まれている。光ディスク装置においては、ディスク上のウォブルを読
み出しアドレス情報を抽出して、制御動作に用いている。
【０００３】
このような光ディスク装置において、光ディスクのウォブル位相検波の際に、主となる
規準位相波（キャリア） の中に、ときどき位相反転変調された箇所が符号として出現す
るようなウォブル変調方式の場合、まず規準位相クロックを応答時定数の長いＰＬ Ｌ で
生成し、これを基準とする相対位相を逐次検波し、基準位相と符号位相から等距離にある
固定の閾値を設けて符号を識別している。ところがＨＤ   Ｄ Ｖ Ｄ − Ｒ のような位相
並びのできていない（ 隣接トラック同士の規準位相が同じ位相にならない） 隣接トラッ
クから受ける位相干渉は、読み取り位相のオフセットとなって表れ、変調符号判別の符号
間距離を圧迫している。つまり、各符号の検波位相と固定された閾値までの距離は本来等
距離であるが、隣接トラックの干渉により等距離ではなくなるため、符号判定のための通
常の閾値が最適値ではなくなってくる。
【０００４】
ウォブルを読み出す光ディスク装置としては、特許文献１ において、次のような光デ
ィスク装置が示されている。
即ち概要として、ウオブリング信号の搬送波成分の振幅より大きな所定レベルでウオブ
リング信号の振幅を制限した後、ウオブリング信号に重畳されている位相変調成分の復調
を行うことで、大振幅が故に影響が大きいノイズ成分の位相情報を表す信号への混入を最
小限に抑えることが出来、低品質の位相変調信号であっても誤検出が少ない復調を可能に
するというものである。
【特許文献１】特開２００２−７４６６０号公報
【発明の開示】
【発明が解決しようとする課題】
【０００５】
しかし、ウォブルを読み取ったプッシュプル信号に隣接トラックの干渉があり、更に、
プッシュプル信号に低域ノイズが多く含まれるようなディスクの場合、位相検波信号の補
正が十分に行なわれず、符号読み取りエラーが発生するという問題がある。
【０００６】
本発明は、隣接トラックの位相干渉や低域ノイズに対しても読出エラーを起こし難く、
より確実なアドレス識別により安定した読み出し動作を行なう光ディスク技術を提供する
ことを目的とする。
【課題を解決するための手段】
【０００７】
上記課題を解決するために、本発明のディスク装置は、ディスクからの反射光を読取っ
て読取信号を出力する読取部と、前記読取部からの読取信号から、ウォブル信号を抽出す
る抽出部と、前記抽出部からの前記ウォブル信号の位相を検波する位相検波部と、前記位
相検波部の検波結果に応じて、前記ウォブル信号の上限信号を検出する上限検出部と、前
記位相検波部の検波結果に応じて、前記ウォブル信号の下限信号を検出する下限検出部と
、前記上限信号と前記下限信号との平均値信号を生成する平均値生成部と、前記平均値信
号を閾値として、前記ウォブル信号を判定する判定部と、前記判定部が判定した判定結果
に応じたアドレス値に基づき、前記読取部の動作を制御する制御部と、前記動作が制御さ
れた読取部からの読取信号をデコードして再生信号を出力するデコーダ部と、を具備する
ことを特徴とする。
【発明の効果】
【０００８】
本発明によれば、より確実なアドレス識別により安定した読み出し動作を行なう光ディ
スク技術が得られる。
【発明を実施するための最良の形態】
【０００９】
以下、この発明の実施の形態について図１乃至図１１を参照して詳細に説明する。
初めに、図１ は、本発明の一実施形態に係る光ディスク装置の構成の一例を示すブロッ
ク図、図２は、本発明の一実施形態に係る光ディスク装置が扱う光ディスクのウォブルの
一例を示す説明図、図３ は、同様に、ウォブル信号の物理セグメント構造の一例を示す
図、図４ は、同様に、ウォブル信号の変調位置の例を示す図、図５は、同様に、ウォブ
ル信号のセグメントタイプの一例を示す図、図６ は、同様に、ウォブル信号のコーディ
ング構造の一例を示す図、図７は、ウォブル信号のＰＬＬ処理を示す機能ブロック図、図
８ は、HD DVD-Rのデータ構造（規格）を説明するための図、図９ は、閾値による符号の
値の決定法を説明するための図、図１０は、閾値による符号の誤検出を説明するための図
、図１１は、本発明の一実施形態に係る光ディスク装置の構成の一例を示す機能ブロック
図である。
【００１０】
初めに、図１は、本発明の一実施形態に係る光ディスク装置の構成の一例を示すブロッ
ク図である。
＜本発明の一実施の形態である光ディスク装置の一例＞
本発明の一実施の形態である光ディスク装置は、ウォブルを読み取ったプッシュプル信
号に隣接トラックの干渉があり、低域ノイズが多く含まれる場合でも、ウォブル信号の上
限値と下限値とを求めこの中間値を閾値として符号判定する。これにより、誤判定のない
アドレス情報を検出しこれに基づく制御動作を行なうことができる光ディスク装置を提供
する。初めに、本発明の一実施の形態である光ディスク装置の一例について、図１を用い
て、詳細に説明する。
【００１１】
（構成）
本発明の一実施の形態である光ディスク装置は、図１において、一例として、ＨＤ  Ｄ
ＶＤ等の光ディスクＤを扱うものである。光ディスク装置は、ディスクＤのグルーブ記録
面にフォーカスされた参照ビームからの反射光を電圧信号に変換するピックアップ３と、
ピックアップ３から出力された信号を増幅するプリアンプ７と、この増幅信号を受けてプ
ッシュプル信号を出力するプッシュプル信号生成８と、全体の動作やピックアップ３等の
動作を制御する制御部３１とを有する。更に、光ディスク装置は、通常のＲＦ信号の再生
機能のために、プリアンプ７の出力を受けるイコライザ部２６と、この出力に対してＭＰ
ＥＧデコード処理等を行なうデコーダ部２と、デコーダ部の出力を図示しない外部装置に
供給するためのＩ／Ｆ部２８とを有している。
【００１２】
更に、光ディスク装置は、プッシュプル信号生成８からの反射光束をラジアル方向に２
分割した領域となるディテクタの信号同士の差信号（このプッシュプル信号にプリグルー
ブのウォブル信号が含まれる）を受けてフィルタ処理を行なうバンドパスフフィルタ９を
有している。このバンドパスフフィルタ９は、ウォブル信号の位相を読み取り易くするた
めに、プッシュプル信号に含まれるウォブル以外のＲＦ漏れ込み信号や消し残り信号、隣
接消去信号、トラッキングサーボ追従残差信号などを、周波数弁別によって除去する。な
お、この特性は逆にウォブル波に対しても波形歪みや位相シフトにもなる可能性があるの
で、必要な位相精度に応じて再生線速度に周波数トラッキングさせるなどの機構を設ける
ことが有効である。又は、ノイズが多い場合のみＢＰＦを掛ける、又は、選択特性を強め
にする等、状況を検出して選択的にＢＰＦの特性を変えることも好適である。
【００１３】
更に、光ディスク装置は、バンドパスフィルタ９からのウォブル信号を受けるウォブル
ＰＬＬ回路１０を有している。ウォブルＰＬＬ回路１０は、入力されるウォブル信号に対
して位相追従した単一クロックを発生する。又、ウォブルＰＬＬ回路１０は、位相比較器
１１と、その出力を受けるループ補償部１２と、その出力を受けるＶＯＣ１３と、その出
力を受ける分周器１４とを有している。ＶＣＯ１３で発振した源発振周波数を、分周器１
４でウォブル周波数まで下げ、位相比較部１１で入力ウォブルとの位相差情報を抽出して
、ループ補償部１２で必要な制御帯域と制御ゲインを調整し、ＶＣＯ１３に帰還すること
でＰＬＬを構成している。このウォブルＰＬＬクロックは、全体の動作や、ピックアップ
３等の動作を制御する制御部３１に供給される。
【００１４】
すなわち、ＰＬＬ動作が符号変調箇所に影響されないようにする手法では、他に、符号
箇所が出現することを別の９０度検波軸の異なる位相検波結果で検出し、この結果を持っ
てＰＬＬのループの制御極性を反転する、又はミュートする、又は前値ホールドする、又
は平均値ホールドする等を行う手法がある。
【００１５】
更に、この追加手法として、符号到来の規則性からあらかじめ符号の位置を予測し、そ
の時間範囲にだけ上記の処理を行えば、符号以外の箇所で誤動作するような事故を避ける
ことが可能となる。
【００１６】
ここで、ウォブル中にはフィジカルアドレスが位相変調によって埋め込まれた箇所があ
り、ここで位相が一時的に反転するが、ＰＬＬの追従時定数をこれに応答しないような長
い値に設定することにより、符号変調箇所にあまり影響されずに基本位相のクロック（Ｐ
ＬＬクロック）を生成することができる。
【００１７】
更に、光ディスク装置は、ＰＬＬクロックとウォブル信号は同期位相検波部１５と、こ
れに続く本発明の一実施形態である閾値補正のための構成を有している。すなわち、光デ
ィスク装置は、図１において、同期位相検波部１５の出力が接続されるシンク検出部１６
と、シンク検出部１６の出力を受けるセグメント周期発生部１７と、サンプルタイミング
発生部１８と、この出力をそれぞれ受ける下限値（ＮＰＷ値）生成部２０と、上限値（Ｉ
ＰＷ値）生成部２１と、これらの値から閾値を生成する閾値生成部２３と、この閾値を用
いて符号判定を行なう符号判定部２４と、判定した符号信号ｅによりアドレスをデコード
して制御部３１に供給するアドレスデコーダ部２９とを有する。更に、光ディスク装置は
、同期位相検波部１５からの信号から４波平均を生成して供給する４波平均部１９と、同
じく同期位相検波部１５からの信号から、ＷＤＵ（Wobble Data Unit）のタイプをプライ
マリ・セカンダリと判定して閾値生成部２３に供給するＷＤＵタイプ判定部２２とを有し
ている。
【００１８】
（光ディスク装置が扱うウォブルの構成の一例）
次に、このような構成をもつ光ディスク装置が扱う光ディスクのウォブルの構成につい
て、図２乃至図６を用いて以下に詳細に説明する。
図２は、ＨＤ  ＤＶＤ−Ｒにて、プリグルーブがウォブリングされている様子を示して
いる。ディスクＤ上のランドトラックＬ及びグルーブトラックＧに沿って、ランドトラッ
クＬのうねりとしてウォブルが設けられている。ここで図３のように、トラックのセグメ
ントのスタート点を基準にして、ディスク外周側に振り始める正弦波となっているウォブ
ル位相をＮＰＷ（非反転位相ウォブル）、ディスク内周方向に振り始める位相をＩＰＷ（
反転位相ウォブル）とし、ウォブル変調符号の“０”をＮＰＷ４波、符号“１”をＩＰＷ
４波で情報を記録するものである。
【００１９】
又、図３ は、Ｈ Ｄ   Ｄ Ｖ Ｄ − Ｒ でのセグメント内の構造を示している。図３ 
において、１ データセグメントが７ フィジカルセグメントで構成されており、その１ 
フィジカルセグメントは１ ７ のＷ Ｄ Ｕ から構成される。ここで、ＷＤ Ｕ は、８ ４
ウォブルの長さがある。
【００２０】
１ つめのＷ Ｄ Ｕ ０ は、Ｓ Ｙ Ｎ Ｃ フィールドで、Ｓ Ｙ Ｎ Ｃ パターンが変調
されている。これに続くＷＤ Ｕ １ 〜 Ｗ Ｄ Ｕ １ １ は、フィジカルアドレスが３ b 
i tずつコーディングされている。更に続くＷ Ｄ Ｕ １ ２ 〜 Ｗ Ｄ Ｕ １ ６ は無変調
領域であることが図３ からわかる。
【００２１】
又、図４ は、Ｗ Ｄ Ｕ の中の符号変調位置を示している。ここで、ＷＤ Ｕ にはプラ
イマリとセカンダリの２種があり、プライマリＷ Ｄ Ｕ ではＷ Ｄ Ｕ 先頭に変調部分が
あり、セカンダリＷ Ｄ Ｕ では先頭から４ ２ ウォブル後ろに変調部分がある。ＳＹ Ｎ
Ｃ フィールドでは符号先頭から６ 個のＩ Ｐ Ｗ 、４ 個のＮ Ｐ Ｗ 、６ 個のＩ Ｐ 
Ｗ と並び、アドレスフィールドでは先頭識別子として４ 個のＩ Ｐ Ｗ の後、アドレス
データが１ b i tあたり４ ウォブル用いて３ bi tが描かれている。
【００２２】
ここで、Ｃ Ｌ Ｖ 方式であるＨ Ｄ   Ｄ Ｖ Ｄ − Ｒ では、Ｃ Ｌ Ｖ の原理から、
トラック１周の長さが徐々に変化するので隣接トラックとのセグメント周期の位相は除所
にずれていく。
【００２３】
セグメント内の固定の位置に符号変調箇所があると、いつか隣接トラックと符号が並んで
しまい位相干渉が複雑になる。そこで、このディスク規格では、符号変調箇所をＷＤ Ｕ 
内の前半（ プライマリ） か後半（ セカンダリ）かの２ 種類設け、この組み合わせによ
り符号が隣接と並ぶことがないことを保証している。
【００２４】
又、図５ では、このプライマリとセカンダリとの組合せの例がタイプ１， タイプ２ 
， タイプ３ として示されている。
又、更に、図６ では、ウォーブルコーディングの構成例が示されている。ここでは、
ＳＹＮ Ｃ フィールド、アドレスフィールド、ユニティフィールドの具体的な構成の一例
が詳細に示されている。
【００２５】
図７は、ウォブル信号のＰＬＬ処理を示す機能ブロック図である。
アナログデジタル変換器（Ａ／Ｄ）７１は、ウォブル入力信号をデジタル信号に変換する
。電圧制御発信器（ＶＣＯ）７２は、ループ補償回路による電圧（ループ補償）によって
発振周波数を制御する。基準サイン波７３、基準コサイン波７４は、ＶＣＯ７２から出力
したウォブル１波（基準波）と同じ周期になっている。
【００２６】
Ａ／Ｄから出力した入力信号とＶＣＯ７２から出力した基準波を掛け算して、基準波１波
の積分値を計算する。基準コサイン波の積分７５の値は、入力信号と基準サイン波の位相
が一致していると０になる。基準コサイン波の積分値を位相差７６に置き換えて、ループ
補償回路７７にかけてＶＣＯ７２の電圧制御信号にする。
【００２７】
すなわち、基準コサイン波（係数）と入力信号を掛け算して、基準波１波の積分値を計算
して、積分値を基準波との位相差に読み替えて、ウォブル１周期ごとにＶＣＯのループ補
償をする。
【００２８】
また、基準サイン波による位相のチェックして、反転位相の場合には基準コサイン波の積
分計算結果を反転する制御を行うことで、ＶＣＯのループ補償を行う。
（サイン相関値回路）
従来より隣接トラックの干渉を受けやすい光ディスクにおいて、物理アドレスを読み取
るために、符号干渉によるオフセット成分を除去する方法がある。
まず、ウォブル信号からSYNC,物理アドレスの情報を判定するために、サイン相関値を使
用する。サイン相関値は、ウォブル信号と基準サイン波との積分演算結果７８の相関値で
ある。積分値はＮＰＷ（無変調信号）では正の値をとり、ＩＰＷ（変調信号）では負の値
を取る。
【００２９】
１ウォブル信号の状態判定を、ＮＰＷとＩＰＷのサイン相関値の中間値から算出した閾値
（極性）で判定をおこなっている。閾値より大きい（正極性）のであれば「０」、閾値よ
り小さい（負極性）のであれば「１」としている。隣接トラックからの干渉がない場合は
、サイン相関値はプラスマイナスにほぼ等距離になっているので、閾値としてはほぼ０に
なっている。プラスマイナス等距離である場合は、符号判定で誤検出することはほとんど
ない。
【００３０】
ところがHD DVD-RのようなＣＬＶ構成の光ディスクでは、隣接トラックによる干渉により
、サイン相関値の値変化が均等ではなくなる。そのために、閾値を補正することでSYNCや
物理アドレスを誤判定しないようにしていた。ＮＰＷの最大値とＩＰＷの最大値（値が）
の中間値を求めて符号間距離がほぼ等距離になるようにして閾値を決めていた。
【００３１】
しかし、隣接する両トラックの干渉が大きくて、この閾値を越えてしまう時には誤判定し
て、SYNCや物理アドレスを誤検出してしまうことがある。この誤検出を軽減するために、
符号間距離をほぼ等距離にする中間値を算出するのではなく、後述のように、例えばＮＰ
Ｗの値を一定の比率で小さくした中間値を計算することにより隣接する両トラックからの
干渉の偽信号が閾値を超えることがなくなり、従来は誤検出していたSYNCや物理アドレス
の判定結果を救うことができる。
【００３２】
ウォブル波の基準波１波長区間で基準サイン波と積をとった値の積分７８を実施する。
基準サイン波で求めた積分値を「サイン相関値」という。通常、ＮＰＷ（無変調信号），
ＩＰＷ（変調信号）の値はそれぞれ正極性、負極性の値として算出される。閾値が０であ
る場合は、極性ビットの０，１によって値の判定ができる。
【００３３】
閾値による符号検出として従来回路よりサイン相関値を、６ＷＤＵの間にＮＰＷ値とＩ
ＰＷ値で計測して、それぞれピーク値の最大値を保持する。ＮＰＷ値とＩＰＷ値の中間値
を算出して閾値にする。補正した閾値により値判定（正か負か）を実施する。
【００３４】
図８ は、HD DVD-Rのデータ構造（規格）を再度簡単に説明するための図である。
１７ＷＤＵで１ＷＡＰデータ（７物理セグメント(7WAP)が１データセグメント）、１Ｗ
ＤＵは８４ウォブルであることを表し、６ＷＤＵのＮＰＷ／ＩＰＷ検波結果から、閾値の
補正を行う。
【００３５】
プライマリデータの構成は、１ＷＤＵのうち、最初の１６ウォブルが符号領域（ＮＰＷ／
ＩＰＷ）になっており、後半の６８ウォブルは無変調のＮＰＷの連続となっている。
【００３６】
セカンダリデータの構成は、最初の４２ウォブルは無変調のＮＰＷになっており、続く１
６ウォブルが符号領域で、その後の２６ウォブルは無変調のＮＰＷになっている。
【００３７】
HD DVD-Rでは、プライマリとセカンダリの位置を調節して、符号領域が重ならないように
して、隣接トラックの影響が少ない構成になっている。
隣接トラックの干渉に関し、HD DVD-Rの規格では、データ構造をプライマリとセカンダリ
に分けて隣接トラックの符号間の干渉が少なくなるように配置している。しかし、ＣＬＶ
のフォーマットによってトラックごとに位相並びがずれるため、符号のないところにも隣
接トラックからの位相干渉を受けてしまう。
【００３８】
１ウォブルの値の判定は、サイン相関値の極性によって行うので閾値が重要であり、プラ
ス側またはマイナス側に閾値がずれた場合、値の変化によって判定を誤ることが発生する
。
【００３９】
図９ は、閾値による符号の値の決定法を説明するための図である。
ウォブル信号からサイン相関値を算出した結果について、ＮＰＷのピーク値とＩＰＷのピ
ーク値の中間値が０にならない場合が発生する。隣接トラックからの干渉がない場合には
、中間値が０になるが、隣接トラックによりプラス側またはマイナス側に中間値がずれる
。すなわち、サイン相関値がプラス側またはマイナス側に偏っていることになり、サイン
相関値の極性によって信号の値判定をおこなっているので、ずれの程度によっては信号の
誤検出が発生する。プラス側とマイナス側のずれを吸収するために、算出した中間値の結
果から閾値を補正する。
【００４０】
補正した閾値の位置より大きい場合に「０」、小さい場合に「１」として判定する。
１NPW，４IPW，１NPWの６ウォブルクロックに触れているが、ウォブル信号からサイン相
関値を算出する際に、サイン相関値はウォブル信号の開始点から積分を計算するので、１
ウォブルクロック分の遅れがでる。
【００４１】
図１０ は、閾値による符号の誤検出を説明するための図である。サイン相関値がプラス
側にずれたことで、閾値がプラス側にずれた場合の符号検出について表現している。
【００４２】
ＮＰＷが続く無変調領域はサイン相関値のプラス値が続く状態で、隣接トラックからの干
渉によってプラス側の位置でサイン相関値がずれる。サイン相関値がプラス側にずれてい
るときに、プラス側に補正した閾値に対して、本来ＮＰＷである信号が閾値を越えてＩＰ
Ｗと判定することで誤検出（「０」→「１」）を発生する。
【００４３】
隣接トラックから干渉をうけたウォブル信号について、最大ピーク値と最小ピーク値から
中間値を算出して、符号間距離が等間隔になる閾値で値を判定していたが、閾値を超える
干渉が発生したときには誤検出する。
【００４４】
大きな値の干渉があった場合に、誤検出することを避けるために、閾値の算出の際に等間
隔ではなく、片方の値を調整した中間値を使用することにした。
たとば、以下の図で、符号間距離が等距離の閾値Ｃについて、正しい位置の信号について
は判定できているが、隣接トラックからの干渉の状態については誤検出している。
【００４５】
修正した閾値Ｃ´では、隣接トラックからの影響に対応して閾値を下側に下げているため
、正しい判定結果を出すことができる。
特に誤検出する場所について、詳細に説明すると、等距離の閾値(C)による値判定では、
隣接トラックからの干渉によって、本来、無変調領域なので「０」になるところで「１」
として判定している。
【００４６】
修正した閾値(C’)による値判定では、隣接トラックから干渉があっても、無変調領域の
「０」として次のように判定している。
１．等距離の閾値(C): 等距離の中間値を計算した場合の閾値。
２．修正した閾値(C‘)：隣接トラックからの干渉がかからない位置まで修正する。
（閾値の算出の際にプラス側のＮＰＷの寄与を少なくする）
等距離の中間値で計算するのではなく、ＮＰＷ側の値を小さくする。
本実施形態の修正した閾値を説明するにあたり、平均値一般の概念を述べる。平均値を
得る為の平均演算については、例えば０と１の間に正規化された２量ｘとｙがあった場合
平均値ａは、min(x, y) 以上でありMAX(x, y) 以下である演算と定義されている。平均演
算の代表的なものには相加平均、相乗平均などがある。重みなし相加平均は通常言われる
所謂平均であり、前述した従来例の中間値はこれに相当する。
【００４７】
ここではプラスマイナス均等な中間値ではなく、片方の値を調節した中間値を算出する
ことにより、閾値を５０％の位置にするのではなく、片方にずれた位置にする。
【００４８】
例えば、次のようなものなどがある。
１．プラス側の値を1/2,1/4,1/8・・・簡易回路になる値
２．プラス側の値を1/n（ｎ：整数）・・・１倍以下の値でＮＰＷの比率を小さくする
「プラス側」の値はＮＰＷのサイン相関値のピーク値，「マイナス側」の値はサイン相関
値のＩＰＷのピーク値を示す。
図１１の機能ブロック図を用いて説明する。
閾値の補正としてＮＰＷ値とＩＰＷ値から閾値を算出する回路１１２，１１３において
、係数乗算器１１４内で、ＮＰＷ値について1/ｎ倍の演算をした結果から閾値１１５を算
出する。倍率については、１／ｎ（ｎ：整数）とする。
【００４９】
１．1/ｎ＝１のときは、従来の中間値と同じ位置になる。（５０％）
２．1/ｎ＝1/2のときは、ＮＰＷのピーク値からみて６２．５％の位置になる。
３．1/ｎ＝1/4のときは、ＮＰＷのピーク値からみて６８．７５％の位置になる。
４．1/ｎ＝1/8のときは、ＮＰＷのピーク値からみて７１．８７５％の位置になる。
これらｎは、レジスタ設定で切り替えられるようにする。
以上の処理手順の概要として、まず６ＷＤＵ間のサイン相関値の位相検波１１１の結果か
ら、ＮＰＷ／ＩＰＷのサイン相関値の最大値を検出して、両者から等距離になるように中
間値を算出して閾値の補正を行う。
【００５０】
ＮＰＷ／ＩＰＷが等距離である場合は閾値はほぼ０になるが、どちらかにずれた場合には
、中間値を計算すると、ずれた方向に閾値が算出され、閾値の補正した値を中心にＮＰＷ
／ＩＰＷのピーク値が等距離なる。閾値を補正したことで、変動の幅が均等になり、プラ
ス側マイナス側のどちら側の振れに対しても信号のふれでサイン相関値の誤判定による誤
検出が少なくなる。
【００５１】
しかし、隣接トラックの符号部により大きく変動して、無変調領域でプラス側に閾値の補
正をしたことによって値の変動幅に弱くなっているときに、サイン相関値が閾値を越えて
しまう場合が発生して誤検出となることが考えられる。変動する値が大きい場合について
検出結果を救うためには、閾値を調整して、均等な中間値ではなく、プラス側のＮＰＷ値
の効果を少なくするため、一定の割合で小さくしたＮＰＷ値を使って中間値を計算する。
この値による閾値の補正で、誤って閾値を超えていた状態が少なくなり、誤検出を発生を
軽減できる。
【００５２】
実施形態では、1/ｎの値を1/2,1/4,1/8として、回路を簡単には例として図示せぬシフト
レジスタで構成した。一般的には、回路を生成する上で、複雑になるが、任意の値の設定
ができる。
【００５３】
ｎを幾つに設定するかは、例えば1/2,1/4,1/8と各々試行してエラーレートの評価レベル
が最も低下するように動的に行ってもよい。または検出率といった評価指標の増大方向を
探索することも好適である。
【００５４】
従来の等距離で閾値を算出した場合でも、隣接トラックの干渉を少なくすることはできる
が、品質のわるいウォブル信号をうけたときに閾値を越えて誤検出する場合が発生する。
実施形態の効果として、品質の悪いウォブル信号についても、正しい結果を選択できるよ
うにして、検出率の向上ができるようになった。品質の悪いウォブル信号について、物理
アドレス、SYNC検出率の向上ができるようになった。
【００５５】
HD DVD-Rの隣接トラックの干渉が大きい場合に、閾値を算出する際に、ＮＰＷの値を一
定の値で小さくする調整をすることによって、品質の悪いウォブル信号で誤検出していた
結果を救済できる。
【００５６】
なお、この発明は上記実施形態に限定されるものではなく、この外その要旨を逸脱しな
い範囲で種々変形して実施することができる。
また、上記した実施の形態に開示されている複数の構成要素を適宜に組み合わせること
により、種々の発明を形成することができる。例えば、実施の形態に示される全構成要素
から幾つかの構成要素を削除しても良いものである。さらに、異なる実施の形態に係る構
成要素を適宜組み合わせても良いものである。
【図面の簡単な説明】
【００５７】
【図１】本発明の一実施形態に係る光ディスク装置の構成の一例を示すブロック図。
【図２】本発明の一実施形態に係る光ディスク装置が扱う光ディスクのウォブルの一例を示す説明図。
【図３】本発明の一実施形態に係る光ディスク装置が扱うウォブル信号の物理セグメント構造の一例を示す図。
【図４】本発明の一実施形態に係る光ディスク装置が扱うウォブル信号の変調位置の例を示す図。
【図５】本発明の一実施形態に係る光ディスク装置が扱うウォブル信号のセグメントタイプの一例を示す図。
【図６】本発明の一実施形態に係る光ディスク装置が扱うウォブル信号のコーディング構造の一例を示す図。
【図７】本発明の一実施形態に係る光ディスク装置が扱うウォブル信号のＰＬＬ処理を示す機能ブロック図。
【図８】本発明の一実施形態に係る光ディスク装置が扱うHD DVD-Rのデータ構造（規格）を説明するための図。
【図９】本発明の一実施形態に係る光ディスク装置が扱う閾値による符号の値の決定法を説明するための図。
【図１０】本発明の一実施形態に係る光ディスク装置が扱う閾値による符号の誤検出を説明するための図。
【図１１】本発明の一実施形態に係る光ディスク装置の構成の一例を示す機能ブロック図。
【符号の説明】
【００５８】
Ｄ…光ディスク、３…ピックアップ、４…レーザダイオード、５…対物レンズ、６…フ
ォトディテクタ、７…プリアンプ、８…プッシュプル信号生成部、９…バンドパスフィル
タ、１０…ウォブルＰＬＬ回路、１５…同期位相検波部、１６…シンク検出部、１７…セ
グメント周期発生部、１８…サンプルタイミング発生部、１９…４波平均部、２０…下限
値生成部、２１…上限値生成部、２２…ＷＤＵタイプ判別部、２３…しきい値生成部、２
４…符号判定部、２６…イコライザ部、２７…デコーダ部、２８…Ｉ／Ｆ部、２９…アド
レスデコーダ部、３１…制御部、１１１…係数乗算器。
【図１】
2009176365.tif 000003
【図２】
2009176365.tif 000004
【図３】
2009176365.tif 000005
【図４】
2009176365.tif 000006
【図５】
2009176365.tif 000007
【図６】
2009176365.tif 000008
【図７】
2009176365.tif 000009
【図８】
2009176365.tif 000010
【図９】
2009176365.tif 000011
【図１０】
2009176365.tif 000012
【図１１】
2009176365.tif 000013